(57)【要約】【課題】  ワイヤロープ等を捩じらず容易に連結して現場状況に応じた所要長さに調整し、また無端ロープにし、連結部は滑車などに通り、ロープを他の部材にも連結でき、分離も容易で、安全確実な作業が行える連結用継手。【解決手段】  ロープ又は他の部材の連結部に設けられる連結端子と、両連結端子を接続する接続体からなり、連結端子はロープには固着、他の部材には固設され、接続体の一端は一方の連結端子と順ネジで螺合され、接続体の他端は他方の連結端子と逆ネジで螺合される。補助接続体を有し、両連結端子に順ネジで螺合される。接続体と補助接続体の一方又は双方が順ネジ螺合部と逆ネジ螺合部に分割され、チェーンリングで接続されている。接続体の両端に順ネジ螺合部が形成され、ボールジョイントで接続されている。【効果】  ロープ用ターンバックル、スマートで雑貨品等への適用等用途も広い。【選択図】  図６
2006207788.tif 000002
【特許請求の範囲】
【請求項１】
ロープの端と該端以外のロープの端またはロープ以外の部材にそれぞれ設けられる連結端子と、両連結端子を接続する接続体からなり、ロープの端に設けられる連結端子の一端には、該ロープとの固着部が形成され、前記部材に設けられる連結端子の一端は該部材に固設され、両連結端子の他端と接続体の両端には螺合部が形成され、螺合部は、接続体の一端では一方の連結端子と順ネジで螺合され、接続体の他端では他方の連結端子と逆ネジで螺合されるボルトまたはナットであることを特徴とするロープ連結用継手。
【請求項２】
接続体が順ネジ螺合部と逆ネジ螺合部に分割され、両螺合部がチェーンリングで接続されていることを特徴とする請求項１に記載のロープ連結用継手。
【請求項３】
ロープの端と該端以外のロープの端またはロープ以外の部材にそれぞれ設けられる連結端子と、両連結端子を接続する接続体および補助接続体からなり、ロープの端に設けられる連結端子の一端には、該ロープとの固着部が形成され、前記部材に設けられる連結端子の一端は該部材に固設され、両連結端子の他端と接続体および補助接続体の両端には螺合部が形成され、螺合部は、接続体の一端では一方の連結端子と順ネジで螺合され、接続体の他端では補助接続体の一端と逆ネジで螺合され、補助接続体の他端では他方の連結端子と順ネジで螺合されるボルトまたはナットであることを特徴とするロープ連結用継手。
【請求項４】
接続体と補助接続体の一方または双方が順ネジ螺合部と逆ネジ螺合部に分割され、両螺合部がチェーンリングで接続されていることを特徴とする請求項３に記載のロープ連結用継手。
【請求項５】
ロープの端と該端以外のロープの端またはロープ以外の部材にそれぞれ設けられる連結端子と、両連結端子を接続する接続体からなり、ロープの端に設けられる連結端子の一端には、該ロープとの固着部が形成され、前記部材に設けられる連結端子の一端は該部材に固設され、両連結端子の他端と接続体の両端には順ネジ螺合部が形成され、接続体の両順ネジ螺合部はボールジョイントにより軸周りの回転が自在に接続されていることを特徴とするロープ連結用継手。
【発明の詳細な説明】
【技術分野】
【０００１】  本発明は、作業現場や工事現場などにおいて、ワイヤロープなどのロープを連結して現場の状況に応じた長さにするとき、ロープの両端を連結するとき、ロープを他の部材に連結するときなどに使用し、ロープを張った状態でも捩じらずに容易に連結でき、分離も容易で、ロープ同士の連結部は滑車などに通すこともできる連結用継手に関するものである。
【背景技術】
【０００２】  作業現場や工事現場などにおいてワイヤロープなどのロープを使用するとき、従来は、あらかじめ所定長さに調整されたものが使用されている。現場にてロープ同士を本結びで連結し、あるいは端部に輪を形成したものをリング状の継手で連結して所定長さに調整することも行われている。また、ロープを他の部材に連結するには、該部材に巻きつけたり、ロープ端部に形成した輪を該部材に掛けたり、該部材に取付けた輪にロープ端部の輪を連結したりする手段などが用いられている。
なお、ターンバックルと呼ばれる継手で棒材同士を連結し、連結された棒材の長さや張力を調整することが知られている。ターンバックルは、一端に順ネジナット、他端に逆ネジナットが形成されたもので、これらを棒材端部のボルトに螺合するものである。
【発明の開示】
【発明が解決しようとする課題】
【０００３】  作業現場や工事現場などにおいて、使用するワイヤロープなどの長さが現場の状況によって異なる場合、ロープ同士を連結して所要長さ調整できれば、所持すべきロープの数を減らすことができ、保管や管理などが効率化される。しかし、本結びで連結し、あるいはロープ端部に形成した輪で連結した場合、滑車などを使用するとき、連結部を滑車に通すのが困難である。また、本結びで連結した場合は、使用後の分離が困難である。棒材において使用されるターンバックルは、ロープに適用することはできない。【０００４】  そこで本発明が解決しようとする課題は、作業現場や工事現場などで、簡単な手段によりワイヤロープなどのロープを連結して、現場状況に応じた所要長さに調整し、また無端ロープにし、連結部は滑車などに容易に通り、さらにロープを他の部材に連結することもでき、使用後の分離も容易で、安全かつ確実な作業を行うことのできる連結用継手を提供することである。
【課題を解決するための手段】
【０００５】  上記課題を解決するための本発明は、以下の構成からなる。
第１発明は、ロープの端と該端以外のロープの端またはロープ以外の部材にそれぞれ設けられる連結端子と、両連結端子を接続する接続体からなり、ロープの端に設けられる連結端子の一端には、該ロープとの固着部が形成され、前記部材に設けられる連結端子の一端は該部材に固設され、両連結端子の他端と接続体の両端には螺合部が形成され、螺合部は、接続体の一端では一方の連結端子と順ネジで螺合され、接続体の他端では他方の連結端子と逆ネジで螺合されるボルトまたはナットであることを特徴とするロープ連結用継手である。
第１発明において、接続体が順ネジ螺合部と逆ネジ螺合部に分割され、両螺合部がチェーンリングで接続されているものとすることもできる。【０００６】  第２発明は、ロープの端と該端以外のロープの端またはロープ以外の部材にそれぞれ設けられる連結端子と、両連結端子を接続する接続体および補助接続体からなり、ロープの端に設けられる連結端子の一端には、該ロープとの固着部が形成され、前記部材に設けられる連結端子の一端は該部材に固設され、両連結端子の他端と接続体および補助接続体の両端には螺合部が形成され、螺合部は、接続体の一端では一方の連結端子と順ネジで螺合され、接続体の他端では補助接続体の一端と逆ネジで螺合され、補助接続体の他端では他方の連結端子と順ネジで螺合されるボルトまたはナットであることを特徴とするロープ連結用継手である。
第２発明において、接続体と補助接続体の一方または双方が順ネジ螺合部と逆ネジ螺合部に分割され、両螺合部がチェーンリングで接続されているものとすることもできる。【０００７】  第３発明は、ロープの端と該端以外のロープの端またはロープ以外の部材にそれぞれ設けられる連結端子と、両連結端子を接続する接続体からなり、ロープの端に設けられる連結端子の一端には、該ロープとの固着部が形成され、前記部材に設けられる連結端子の一端は該部材に固設され、両連結端子の他端と接続体の両端には順ネジ螺合部が形成され、接続体の両順ネジ螺合部はボールジョイントにより軸周りの回転が自在に接続されていることを特徴とするロープ連結用継手である。
【発明の効果】
【０００８】  作業現場や工事現場などで、簡単な手段によりワイヤロープなどのロープを連結して、現場の状況に応じた所要長さに調整することができる。またロープの両端を連結して、無端ロープにすることができる。しかも連結部は短く、太さはロープと同程度であり、連結部は滑車などに容易に通すことができ、適正な半径で曲げることができる。ロープを他の部材に連結することもできる。連結したロープの分離も容易である。ロープを捩じらずに連結できるので、長さ調整を正確にでき、かつ連結後のロープは安全である。所持するロープの総量（長さ×本数の総和）が減少し、保管や管理が効率化される。さらに、螺合部を長く形成することで、ターンバックルと同様にロープ張力の調整も可能である。
使用例としては、重量物を高所に吊上げるためのワイヤロープにおいて高さの異なる各種現場への適応、テント設営時においてロープの長さおよび張力の調整、スマートな連結部で各種雑貨品等への適用などをあげることができる。
【発明を実施するための最良の形態】
【０００９】  第１発明の例を図１および図２に示す。両図はロープ同士を連結する場合を示したものである。図１では、第１発明は連結端子３，４と接続体７からなる。連結端子３，４の一端には、固着部１３が形成されている。連結端子３の固着部１３にはロープ１の端を嵌入し、かしめてロープ１に固着し、連結端子４の固着部１３にはロープ２の端を嵌入し、かしめてロープ２に固着する。連結端子３，４の他端と接続体７の両端には螺合部が形成されている。連結端子３の螺合部は逆ネジナット１６であり、接続体７の螺合部である逆ネジボルト１７と螺合する。連結端子４の螺合部は順ネジナット１４で、接続体７の螺合部である順ネジボルト１５と螺合する。【００１０】  図１の例でロープ同士を連結するには、あらかじめロープ１の一端に連結端子３を、ロープ２の一端に連結端子４を、それぞれかしめて固着しておき、作業現場などにおいて連結端子３と４を図示のようにして接続体７と螺合するのが能率的である。なお、連結端子３，４は、作業現場などにおいて、図１のようにロープ１，２の端を嵌入し、かしめて固着してもよい。接続体７の両端には順ネジボルト１５と逆ネジボルト１７が形成されているので、ボルト頭部１８をレンチなどで一方向に回転させて、順ネジボルト１５と連結端子４の順ネジナット１４を、逆ネジボルト１７と連結端子３の逆ネジナット１６を、それぞれ同時に螺合することができる。このとき、連結端子３，４は回転させなくてよいので、ロープを作業現場などで捩じらずに連結できる。【００１１】  ３本以上のロープを連結する場合や、１本のロープまたは連結したロープの両端を連結して無端ロープとする場合も、同様にして行うことができる。また、ロープを他の部材に連結する場合は、図１において、連結端子３，４の一方が該部材に固設され、順ネジナット１４または逆ネジナット１６が形成されていればよい。その場合、連結端子３または４に固着部１３がなく、該部材と一体であってもよく溶接等で接合されていてもよい。また、固着部１３で該部材の突起部にかしめて固着されていてもよい。【００１２】  図２では、第１発明は連結端子５，６と接続体８からなる。連結端子５，６の一端には固着部１３が形成され、図示しないロープの端を図１と同様に嵌入し、かしめてロープに固着する。連結端子５，６の他端と接続体８の両端には螺合部が形成されている。連結端子５の螺合部は逆ネジボルト１７であり、接続体８の螺合部である逆ネジナット１６と螺合する。連結端子６の螺合部は順ネジボルト１５で、接続体８の螺合部である順ネジナット１４と螺合する。【００１３】  図２の例でロープ同士を連結する場合、上記図１の場合と同様にし、接続体８をレンチなどで一方向に回転させて、接続体８の順ネジナット１４と連結端子６の順ネジボルト１５を、逆ネジナット１６と連結端子５の逆ネジボルト１７を、それぞれ同時に螺合することができる。連結端子５，６は回転させなくてよいので、ロープを捩じらずに連結できる。【００１４】  ３本以上のロープを連結する場合や、１本のロープまたは連結したロープの両端を連結して無端ロープとする場合も、同様にして行うことができる。また、ロープを他の部材に連結する場合は、図２において、連結端子５，６の一方が該部材に固設され、順ネジボルト１５または逆ネジボルト１７が形成されていればよい。その場合、連結端子５または６に固着部１３がなく、該部材と一体であってもよく溶接等で接合されていてもよい。また固着部１３で該部材の突起部にかしめて固着されていてもよい。【００１５】  第１発明において、接続体７または８が順ネジ螺合部と逆ネジ螺合部に分割され、両螺合部がチェーンリングで接続されているものとすることもできる。図３の接続体９は、図１の接続体７が分割された例であり、順ネジボルト１５と逆ネジボルト１７がチェーンリング２１，２２で接続されている。螺合時における接続体９の回転は、チェーンリング２１または２２にバーを差し込んで行うことができる。図２の接続体８についても、分割してチェーンリングで接続することができる。【００１６】  第１発明の継手で連結したロープは、図１，図２のように連結部が短く、太さはロープと同程度なので、滑車などに容易に通すことができ、適正な半径で曲げることができる。図３の例のように、接続体が順ネジ螺合部と逆ネジ螺合部に分割されチェーンリングで接続されたものは、小さい曲率半径で曲げることができるので、より小径の滑車などに使用できる。【００１７】  第１発明でロープ同士を連結する場合、各ロープの両端に連結端子を予め固着したとき、一端が順ネジ螺合部、他端が逆ネジ螺合部となるので、作業現場などで連結する際、順ネジ螺合部同士または逆ネジ螺合部同士を対向させると片方は接続体に螺合できない。しかし、各ロープの両端を色分けするなどにより、誤作業を回避することができる。また、ロープ両端の連結端子には、ネジ山保護のため、ボルトにはキャップ、ナットには栓をしておくのが好ましく、このキャップと栓による誤作業回避も可能である。【００１８】  第２発明の例を図４に示す。図４もロープ同士を連結する場合を示したものである。図４において、第２発明は２個の連結端子６と接続体８および補助接続体１１からなる。連結端子６の一端には、固着部１３が形成され、図示しないロープの端を図１と同様に嵌入し、かしめてロープに固着する。連結端子６の他端と接続体８および補助接続体１１の両端には螺合部が形成されている。２個の連結端子６の螺合部は、いずれも順ネジボルト１５である。接続体８の螺合部は一端が順ネジナット１４、他方が逆ネジナット１６である。補助接続体１１の螺合部は一端が順ネジナット１４、他方が逆ネジボルト１７である。【００１９】  一方の連結端子６の順ネジボルト１５は、図４右側のように、接続体８の順ネジナット１４と螺合する。他方の連結端子６の順ネジボルト１５は、補助接続体１１を介して接続体８の逆ネジナット１６と螺合する。すなわち、図４左側のように、連結端子６の順ネジボルト１５は補助接続体１１の順ネジナット１４と螺合し、補助接続体１１の逆ネジボルト１７が接続体８の逆ネジナット１６と螺合する。【００２０】  図４の例でロープ同士を連結する場合、まず、一方のロープに固着した連結端子６（図４左側）の順ネジボルト１５に補助接続体１１の順ネジナット１４を螺合する。ついで、補助接続体１１の逆ネジボルト１７に接続体８の逆ネジナット１６を、連結端子６（図４右側）の順ネジボルト１５に接続体８の順ネジナット１４を、それぞれ同時に螺合する。このとき、接続体８を回転させ、連結端子６は回転させなくてよいので、ロープを捩じらずに連結できる。【００２１】  ３本以上のロープを連結する場合や、１本のロープまたは連結したロープの両端を連結して無端ロープとする場合も、同様にして行うことができる。また、ロープを他の部材に連結する場合は、図４において、連結端子６の一方が該部材に固設され、順ネジボルト１５が形成されていればよい。その場合、連結端子６に固着部１３がなく、該部材と一体であってもよく溶接等で接合されていてもよい。また固着部１３で該部材の突起部にかしめて固着されていてもよい。【００２２】  第２発明はまた、２個の連結端子が、図１の連結端子４のように、順ネジナット１４を形成したものでもよい。その場合、図１のような接続体７と図５のような補助接続体１２を使用する。補助接続体１２は、補助接続体１１と異なり、順ネジボルト１５と逆ネジナット１６を形成したものである。２本あるいは３本以上のロープを連結する場合、両端を連結して無端ロープとする場合、ロープを他の部材に連結する場合も、同様にして行うことができる。【００２３】  第２発明においても、接続体が順ネジ螺合部と逆ネジ螺合部に分割され、両螺合部がチェーンリングで接続されているものとすることができる。図５の接続体９は、図１のような接続体７が分割された例であり、順ネジボルト１５と逆ネジボルト１７がチェーンリング２１，２２で接続されている。螺合時における接続体９の回転は、チェーンリング２１または２２にバーを差し込んで行うことができる。図４のような接続体８についても、分割してチェーンリングで接続することができる。【００２４】  第２発明の継手は、ロープに固着される連結端子が、いずれも順ネジ螺合部を形成しているので、作業現場などにおいて、ロープ端部の取り違えによるトラブルのおそれがない。
第２発明の継手で連結したロープは、図４のように、補助接続体１１の分だけ第１発明の場合よりも連結部が長くなるが、湾曲部の曲率半径が比較的大きい場合に適用できる。図５の例のように、接続体が順ネジ螺合部と逆ネジ螺合部に分割されチェーンリングで接続されたものは、小さい曲率半径で曲げることができる。また、第２発明においても、ロープ両端の連結端子には、ネジ山保護のため、ボルトにはキャップ、ナットには栓をしておくのが好ましい。【００２５】  第３発明の例を図６に示す。図６もロープ同士を連結する場合を示したものである。図６において、第３発明は２個の連結端子４と接続体１０からなる。連結端子４の一端には、固着部１３が形成され、図示しないロープの端を図１と同様に嵌入し、かしめてロープに固着する。連結端子４の他端と接続体１０の両端には螺合部が形成されている。２個の連結端子４の螺合部は、いずれも順ネジナット１４である。接続体１０の螺合部は、両端とも順ネジボルト１５であり、ボールジョイント２３により、軸周りの回転が自在に接続されている。【００２６】  図６の例でロープ同士を連結する場合、ロープに固着した２個の連結端子４と接続体１０を図のように配置し、接続体１０の両端の順ネジボルト１５のボルト頭部１９および２０を、レンチ等によりたがいに逆方向に回転させて、両方の連結端子４の順ネジナット１４と螺合する。この場合も、連結端子４は回転させなくてよいので、ロープを捩じらずに連結できる。【００２７】  ３本以上のロープを連結する場合や、１本のロープまたは連結したロープの両端を連結して無端ロープとする場合も、同様にして行うことができる。また、ロープを他の部材に連結する場合は、図６において、連結端子４の一方が該部材に固設され、順ネジナット１４が形成されていればよい。その場合、連結端子４に固着部１３がなく、該部材と一体であってもよく溶接等で接合されていてもよい。また固着部１３で該部材の突起部にかしめて固着されていてもよい。【００２８】  第３発明はまた、２個の連結端子が、図２の連結端子６のように、順ネジボルト１５を形成したものでもよい。その場合の接続体は、両端に形成した順ネジナット１４をボールジョイントで接続したものを使用する。２本あるいは３本以上のロープを連結する場合、両端を連結して無端ロープとする場合、ロープを他の部材に連結する場合も、同様にして行うことができる。【００２９】  第３発明の継手も、ロープに固着される連結端子が、いずれも順ネジ螺合部を形成しているので、作業現場などにおいて、ロープ端部の取り違えによるトラブルのおそれがない。
第３発明の継手で連結したロープは、図６のように、連結部が短く、かつボールジョイント２３で接続されているので、小さい曲率半径で曲げることができる。また、第３発明においても、ロープ両端の連結端子には、ネジ山保護のため、ボルトにはキャップ、ナットには栓をしておくのが好ましい。【００３０】  本発明は、鋼など金属製のワイヤロープのほか、麻、綿、ナイロン、ビニールなど各種材質のロープが対象となる。ロープ以外の部材も、金属、木材、プラスチックなど各種材質のものが対象となる。連結端子、接続体、補助接続体、チェーンリング、ボールジョイントは、ロープの材質および使用環境に応じて、鋼などの金属製、強化プラスチック製、プラスチック製などとすることができる。【００３１】  また、連結端子をロープに固着した後は、両者を分離しないので、かしめのほか、接着接合、溶接、融接、テープ巻付け、これらの組合せなど、材質や使用環境に応じて、各種手段により固着することができる。かしめる場合は、図１などの固着部１３のような円筒状の孔において内部に歯を設ける方法、また有歯板で挟みつける方法などを採用することもできる。
連結端子をロープ以外の部材に固設するのも、一体に形成するほか、かしめ、接着、接合、溶接、融接、これらの組合せなど、材質や使用環境に応じて各種手段を採用することができる。
【図面の簡単な説明】
【００３２】
【図１】  本発明の例を示す側面図および断面図である。
【図２】  本発明の別の例を示す側面図および断面図である。
【図３】  本発明の別の例を示す側面図および断面図である。
【図４】  本発明の別の例を示す側面図および断面図である。
【図５】  本発明の別の例を示す側面図および断面図である。
【図６】  本発明の別の例を示す側面図および断面図である。
【符号の説明】
【００３３】  １，２：ロープ                  ３，４，５，６：連結端子
７，８，９，１０：接続体        １１，１２：補助接続体
１３：固着部                    １４：順ネジナット
１５：順ネジボルト              １６：逆ネジナット
１７：逆ネジボルト              １８，１９，２０：ボルト頭部
２１，２２：チェーンリング      ２３：ボールジョイント
【図１】
2006207788.tif 000003
【図２】
2006207788.tif 000004
【図３】
2006207788.tif 000005
【図４】
2006207788.tif 000006
【図５】
2006207788.tif 000007
【図６】
2006207788.tif 000008